(57)【要約】【課題】ミシンにおいて、縫い目形状に関する設定値を変更した際に、その変更に伴い変化する縫い目形状を縫製前に認識しやすくすること。【解決手段】縫い目形状に関する設定値に応じて様々な縫い目を形成するミシン（１）において、ミシンが設定値に応じて形成可能な複数の縫い目に対応する複数の縫い目形状データを記憶手段（ＲＯＭ１０２）に記憶しておき、設定値変更手段（入力部５０）により設定値が変更された場合に、選択手段（制御部１００）が変更される前の第１の設定値と、変更された後の第２の設定値とに応じた縫い目形状データを記憶手段から選択し、その選択した第１の設定値に応じた縫い目形状データに基づく縫い目形状と、変更された後の第２の設定値に応じた縫い目形状データに基づく縫い目形状とを対比するように、表示手段（表示部７）に表示する構成にした。【選択図】図５
2005304814.tif 000002
【特許請求の範囲】
【請求項１】
縫い目形状に関する設定値の変更に応じて、縫い目を変化させて形成するミシンであって、
当該ミシンが前記設定値に応じて変化する縫い目に対応する複数の縫い目形状データを記憶する記憶手段と、
前記縫い目形状に関する前記設定値を変更する設定値変更手段と、
前記設定値変更手段により変更される前の第１の設定値と、前記設定値変更手段により変更された後の第２の設定値とに応じた縫い目形状データを、それぞれ前記記憶手段から選択する選択手段と、
前記選択手段により選択された、第１の設定値に応じた縫い目形状データに基づく縫い目形状と、第２の設定値に応じた縫い目形状データに基づく縫い目形状とを対比するように表示する表示手段と、
を備えることを特徴とするミシン。
【請求項２】
前記縫い目形状に関する前記設定値は複数のパラメータからなり、
前記表示手段は、前記第２の設定値に応じた縫い目形状データに基づく縫い目形状を表示する際に、前記設定値変更手段により変更された前記設定値におけるパラメータに関する表示部分の表示形態を、他の表示部分の表示形態と異なるように表示することを特徴とする請求項１に記載のミシン。
【請求項３】
前記縫い目形状は縁かがり縫い目模様であり、前記ミシンはオーバーロックミシンであることを特徴とする請求項１又は２に記載のミシン。
【発明の詳細な説明】
【技術分野】
【０００１】
本発明はミシンに係り、特にミシンの縫い目形状を表示可能な表示手段を有するミシンに関する。
【背景技術】
【０００２】
従来、ミシンを動作させて所望する縫い目を形成するために設定された、糸調子（糸張力）、送りピッチ、針数等の各種パラメータからなる設定値を表示する表示部を有するミシンが知られている。
【０００３】
また、ミシンが縫製可能な縫い目形状の画像データ（縫い目形状データ）を予め記憶しておき、作業者が所望する縫い目を選択したり、縫製に関する設定値を入力したりすることによって、記憶された縫い目形状データに基づきその縫い目形状の画像を表示部に表示するミシンが知られている（例えば、特許文献１参照。）。
【特許文献１】特開平４−５９８９号公報
【発明の開示】
【発明が解決しようとする課題】
【０００４】
しかしながら、上記従来技術の場合、各種パラメータやその設定値を見ただけでは、その設定値に基づく縫い目形状を想起することは困難であるという問題があった。
また、初期の設定値に基づく縫い目形状を認識していても、設定値が変更された場合に、その変更された新たな設定値を見ただけでは、その設定値の変更に伴い縫い目の形状がどのように変化するかを想起することは困難であった。
【０００５】
また、上記特許文献１の場合、設定値を変更したことに応じて、異なる縫い目形状の画像を表示部に表示することができるが、元の設定値に基づく縫い目形状と、新たな設定値に基づく縫い目形状とを対比し、比較することはできないので、その設定値の変更により縫い目の形状がどのように変化するかを認識し難いという問題があった。
【０００６】
本発明の目的は、ミシンにおいて、縫い目形状に関する設定値を変更した際に、その変更に伴い変化する縫い目形状を縫製前に認識しやすくすることである。
【課題を解決するための手段】
【０００７】
以上の課題を解決するため、請求項１記載の発明は、縫い目形状に関する設定値の変更に応じて、縫い目形状を変化させて形成するミシンであって、ミシンが設定値に応じて変化する縫い目に対応する複数の縫い目形状データを記憶する記憶手段と、縫い目形状に関する設定値を変更する設定値変更手段と、設定値変更手段により変更される前の第１の設定値と、設定値変更手段により変更された後の第２の設定値とに応じた縫い目形状データを、それぞれ記憶手段から選択する選択手段と、選択手段により選択された、第１の設定値に応じた縫い目形状データに基づく縫い目形状と、第２の設定値に応じた縫い目形状データに基づく縫い目形状とを対比するように表示する表示手段と、を備えることを特徴とする。
【０００８】
請求項１記載の発明によれば、縫い目形状に関する設定値に応じて様々な縫い目を形成するミシンの記憶手段には、ミシンが設定値に応じて形成可能な複数の縫い目に対応する複数の縫い目形状データが記憶されている。そして、設定値変更手段によりその設定値が変更された場合、選択手段が記憶手段から、変更される前の第１の設定値と、変更された後の第２の設定値とに応じた縫い目形状データをそれぞれ選択し、その選択した第１の設定値に応じた縫い目形状データに基づく縫い目形状と、変更された後の第２の設定値に応じた縫い目形状データに基づく縫い目形状とを対比するように、表示手段に表示することができる。
つまり、ミシンにおいて、縫い目形状に関する設定値が変更された場合、その設定が変更される前の元の設定値である第１の設定値と、変更された後の新たな設定値である第２の設定値とに応じた縫い目形状データを、記憶手段から選択するように取得するとともに、その取得した元の設定値（第１の設定値）に関する縫い目形状データに基づく縫い目形状と、新たな設定値（第２の設定値）に関する縫い目形状データに基づく縫い目形状とを対比するように表示手段に表示することができるので、縫い目形状に関する設定値を変更した場合に、その変更に伴い変化する縫い目形状を縫製前に作業者は認識することができる。
よって、このようなミシンは、縫い目形状に関する設定値を変更した際に、その変更に伴い変化する縫い目形状を縫製前に認識しやすいミシンであるといえる。
【０００９】
請求項２記載の発明は、請求項１に記載のミシンにおいて、縫い目形状に関する設定値は複数のパラメータからなり、表示手段は、第２の設定値に応じた縫い目形状データに基づく縫い目形状を表示する際に、設定値変更手段により変更された設定値におけるパラメータに関する表示部分の表示形態を、他の表示部分の表示形態と異なるように表示することを特徴とする。
【００１０】
請求項２記載の発明によれば、請求項１に記載の発明と同様の作用を奏するとともに、表示手段は、設定値が変更された第２の設定値に応じた縫い目形状データに基づく縫い目形状を表示する際に、変更された設定値のパラメータに関する表示部分の表示形態を、他の表示部分の表示形態と異なるように表示することができる。
つまり、作業者は、設定値のパラメータを変更したことにより、縫い目形状におけるどの部分が変化するのか視認することができ、その変更に伴い変化する縫い目形状を認識することができる。
よって、このようなミシンは、縫い目形状に関する設定値のパラメータを変更した際に、その変更に伴い変化する縫い目形状を認識しやすいミシンであるといえる。
【００１１】
請求項３記載の発明は、請求項１又は２に記載のミシンにおいて、縫い目形状は縁かがり縫い目模様であり、ミシンはオーバーロックミシンであることを特徴とする。
【００１２】
請求項３記載の発明によれば、請求項１又は２に記載の発明と同様の作用を奏するとともに、オーバーロックミシンにおいて縫製を行う際に形成される縫い目である縁かがり縫い目模様に関する縫い目形状について、設定が変更される前の第１の設定値に関する縫い目形状と、設定値が変更された後の第２の設定値に関する縫い目形状とを対比して、その変更に伴い変化する縫い目形状を認識することができる。
【発明の効果】
【００１３】
請求項１記載の発明によれば、縫い目形状に関する設定値に応じて様々な縫い目を形成するミシンの記憶手段には、ミシンが設定値に応じて形成可能な複数の縫い目に対応する複数の縫い目形状データが記憶されている。そして、設定値変更手段によりその設定値が変更された場合、選択手段が記憶手段から、変更される前の第１の設定値と、変更された後の第２の設定値とに応じた縫い目形状データをそれぞれ選択し、その選択した第１の設定値に応じた縫い目形状データに基づく縫い目形状と、変更された後の第２の設定値に応じた縫い目形状データに基づく縫い目形状とを対比するように、表示手段に表示することができる。
従って、ミシンにおいて、縫い目形状に関する設定値が変更された場合、その設定が変更される前の元の設定値である第１の設定値と、変更された後の新たな設定値である第２の設定値とに応じた縫い目形状データを、記憶手段から選択するように取得するとともに、その取得した元の設定値（第１の設定値）に関する縫い目形状データに基づく縫い目形状と、新たな設定値（第２の設定値）に関する縫い目形状データに基づく縫い目形状とを対比するように表示手段に表示することができるので、縫い目形状に関する設定値を変更した場合に、その変更に伴い変化する縫い目形状を縫製前に作業者は認識することができる。
【００１４】
請求項２記載の発明によれば、表示手段は、設定値が変更された第２の設定値に応じた縫い目形状データに基づく縫い目形状を表示する際に、変更された設定値のパラメータに関する表示部分の表示形態を、他の表示部分の表示形態と異なるように表示することができるので、作業者は、設定値のパラメータを変更したことにより、縫い目形状におけるどの部分が変化するのか視認することができ、その変更に伴い変化する縫い目形状を認識することができる。
【００１５】
請求項３記載の発明によれば、オーバーロックミシンにおいて縫製を行う際に形成される縫い目である縁かがり縫い目模様に関する縫い目形状について、設定が変更される前の第１の設定値に関する縫い目形状と、設定値が変更された後の第２の設定値に関する縫い目形状とを対比して、その変更に伴い変化する縫い目形状を認識することができる。
【発明を実施するための最良の形態】
【００１６】
以下、本発明の実施の形態を詳細に説明する。
図１は、本発明に係るミシンであるオーバーロックミシン１（以下、ミシン１）の正面図である。図２は、ミシン１の要部構成を示すブロック図である。
【００１７】
図１に示すように、ミシン１は、図示しないミシンフレームをカバー２で覆うように構成されている。このミシンカバー２は、ミシン１の上方を構成する糸調子カバー２ａ、正面カバー２ｄ、左側面のミシンベッドを構成する布台２ｂ、ミシン右側面を構成する側面カバー２ｅ、ミシン全面を構成するルーパーカバー２ｃ及び図示しないミシン後部を構成する後カバーからなる。
【００１８】
このミシン１には、ミシンケース２内に動力伝達源であるミシンモータＭが配置されており、このミシンモータＭの回転を図示しないタイミングベルトにて駆動機構（例えば、主軸等）に伝達している。図示しないミシンフレーム内において、駆動機構を装備した主軸の右端部に、はずみ車３が装着されており、タイミングベルトにより動力を伝えている。この主軸には、縫い目を形成するための上ルーパ・下ルーパ（図示省略）が連結部材を介して連結されており、主軸と連動するようになっている。
ミシン上部には、針棒４を駆動させる針棒クランクを支持する針棒駆動軸が、ミシンフレームに勘合されて組み込まれている。主軸の回転は、主軸に組み込まれた針棒カムに連結されている針棒リンクを介して針棒クランクに伝達され、周知の技術により針棒リンクが揺動運動し、針棒４が上下動する。
以上の構成により、針棒４の下端に備えられる縫い針４ａと図示しない上下ルーパとの協働により縫い目が形成されるようになっている。
【００１９】
また、ミシンケース２の糸調子カバー２ａの内部には、糸調子調整機構部５・・・が備えられており、下ルーパ糸６ａ、上ルーパ糸６ｂ、針糸６ｃにそれぞれ対応する糸調子調整機構部５が、それぞれの糸の糸調子（糸張力）を調節するようになっている。
この糸調子調整機構部５の内部にはステッピングモータが配設されており、ステッピングモータが回転することにより、糸の張力を強めたり弱めたりすることができるようになっている。
そして、各糸調子調整機構部５毎に、その糸調子調整機構部５に対応する糸の糸調子（糸張力）を強めるためのＵＰボタン５ａと、糸調子（糸張力）を弱めるためのＤＯＷＮボタン５ｂとが、正面カバー２ｄの正面側に備えられている。
なお、ＵＰボタン５ａとＤＯＷＮボタン５ｂとは、設定値変更手段である入力部５０として、後述する制御部１００に接続されている（図２参照）。このＵＰボタン５ａやＤＯＷＮボタン５ｂが押下された信号は、後述する制御部１００に出力される。
【００２０】
また、正面カバー２ｄの正面側には、表示手段としての表示部７が設けられている。この表示部７は、後述する制御部１００に接続されている（図２参照）。
また、ミシンケース２の側面側には、送りピッチを調整するための送りつまみ８と、差動送りを調整するための差動つまみ９が備えられている。
【００２１】
なお、ミシン１におけるミシンモータＭ、上軸（図示省略）、針棒４、縫い針４ａ、下軸（図示省略）、上下ルーパ（図示省略）、糸調子調整機構部５等の接続構成やその縫製動作等は従来公知のものと同様であるので、ここでは詳述しない。
【００２２】
表示部７は、例えば、液晶表示機構部とタッチパネル機構部とからなり、複数の操作キーや各種設定値（例えば、メス幅、送りピッチ量、差動比、糸調子（糸張力）値）、縫い目形状の画像等を表示するとともに、タッチパネル式の操作入力が可能となっている。
図３に示すように、表示部７は、操作キー表示エリア７ａと、設定値表示エリア７ｂと、縫い目形状表示エリア７ｃとを有している。
【００２３】
操作キー表示エリア７ａは表示部７における上部右側に位置しており、操作キー表示エリア７ａには、設定値表示エリア７ｂに表示されている設定値を確定する際に押下するＳＥＴキー７１や、確定した設定値を再度設定し直す際に押下するＣＡＮＣＥＬキー７２や、ミシン１が縫製し形成する縫い目形状（後述する縫い目番号７３）を指定する指定キー等が表示されている。
【００２４】
設定値表示エリア７ｂは表示部７における上部中央側に位置しており、設定値表示エリア７ｂには、ミシン１が縫製し形成する縫い目形状毎に割り振られている縫い目番号７３と、その縫い目番号に対応する縫製を行う際の設定値の各種パラメータである、布端をカットするメス幅７４、送りピッチ量７５、差動比７６、針糸６ｃの糸調子（糸張力）値７７、上ルーパ糸６ｂの糸調子（糸張力）値７８、下ルーパ糸６ａの糸調子（糸張力）値７９等が表示されている。なお、図３においては、縫い目番号７３には「縫い目Ｎｏ．１（１）」が表示されており、その縫い目Ｎｏ．１における設定値として、布端をカットするメス幅７４が「２．０」、送りピッチ量７５が「２．５」、差動比７６が「Ｎ」、針糸６ｃの糸調子（糸張力）値７７が「４．０」、上ルーパ糸６ｂの糸調子（糸張力）値７８が「４．０」、下ルーパ糸６ａの糸調子（糸張力）値７９が「４．０」のように表示されている。
【００２５】
縫い目形状表示エリア７ｃは表示部７における下部側に位置しており、縫い目形状表示エリア７ｃには、例えば、現在選択されている縫い目番号７３の「縫い目Ｎｏ．１」に対応するとともに各設定値（パラメータ）に応じた縫い目形状である縁かがり縫い目模様の画像が表示されている。なお、図３に示す縫い目形状において、図中６１が下ルーパ糸、図中６２が上ルーパ糸、図中６３が針糸に対応している。
【００２６】
また、ミシン１は、図２に示すように、ミシンモータＭ、糸調子調整機構部５、表示部７、入力部５０等に接続される制御部１００を有している。
この制御部１００は、ＣＰＵ１０１、ＲＯＭ１０２、ＲＡＭ１０３、ＥＥＰＲＯＭ１０４を備えている。ＣＰＵ１０１には、バスを介して、ＲＯＭ１０２、ＲＡＭ１０３、ＥＥＰＲＯＭ１０４が接続されている。
【００２７】
ＣＰＵ１０１は、入力部５０から入力される信号や、各種設定値、データ等に応じて、ＲＯＭ１０２に格納されているオーバーロックミシン用の各種制御プログラムに従って各部の動作を集中制御し、その処理結果をＲＡＭ１０３内のワークエリアに格納するとともに、ＲＡＭ１０３に格納した処理結果をＥＥＰＲＯＭ１０４に記憶させる。そして、ＣＰＵ１０１は、ミシン１を構成する各部の駆動を制御する。
【００２８】
ＲＯＭ１０２には、ミシン１の制御プログラムや制御データ、または各種縫製に関するデータが書き込まれている。
特に、ＲＯＭ１０２は、記憶手段として、ミシン１が各種設定値（パラメータ）に応じて形成可能な複数の縫い目に対応する複数の縫い目形状データを記憶している。なお、縫い目形状データとは、表示部７に縫い目形状の画像を表示するための画像データである。
この縫い目形状データは、設定値のパラメータであるメス幅、送りピッチ量、差動比、針糸６ｃの糸調子（糸張力）値、上ルーパ糸６ｂの糸調子（糸張力）値、下ルーパ糸６ａの糸調子（糸張力）値等の様々な数値の組み合わせに応じた様々な縫い目形状に対応するように、縫い目形状テーブルとして記憶されている。
【００２９】
例えば、この縫い目形状テーブルは、以下に示すように、
「メス幅７４、送りピッチ量７５、差動比７６、針糸の糸調子値７７、上ルーパ糸の糸調子値７８、下ルーパ糸の糸調子値７９」の様々な数値の組み合わせに対し、様々な縫い目形状データが対応させられている。
「  ７４、  ７５、  ７６、  ７７、  ７８、  ７９；縫い目形状データ  」
２．０、２．５、    Ｎ、４．０、４．０、４．０；縫い目形状データＡ
２．０、２．５、    Ｎ、４．０、３．５、４．０；縫い目形状データＢ
２．０、２．５、    Ｎ、４．０、４．５、４．０；縫い目形状データＣ
・      ・      ・      ・      ・      ・                    ・
・      ・      ・      ・      ・      ・                    ・
・      ・      ・      ・      ・      ・                    ・
このように、ＲＯＭ１０２には、様々な縫い目形状毎に、設定値のパラメータの数値の組み合わせに応じて異なる縫い目形状に関する縫い目形状の画像データである縫い目形状データが、縫い目形状テーブルとして記憶し、格納されている。
【００３０】
ＲＡＭ１０３には、種々のワークメモリやカウンタなどが設けられており、縫製動作中や表示動作中のワークエリアとして使用される。
ＥＥＰＲＯＭ１０４は、入力された設定値である各種パラメータ、例えば、布端をカットするメス幅、送りピッチ量、差動比、針糸６ｃの糸調子（糸張力）値、上ルーパ糸６ｂの糸調子（糸張力）値、下ルーパ糸６ａの糸調子（糸張力）値等が記憶される。
【００３１】
そして、制御部１００は、所定のプログラムに基づき、ミシンモータＭの回転を制御し、上軸（図示省略）の回動により上下動する針棒４および縫い針４ａの動作や、下軸（図示省略）とともに回動する上下ルーパ（図示省略）の動作を制御し、ミシン１における縫製動作（縁かがり縫い目模様の縫製動作）の制御を行う。
【００３２】
また、制御部１００は、選択手段として、設定されている設定値に応じた縫い目形状データを、記憶手段であるＲＯＭ１０２から選択する制御を行う。
特に、選択手段としての制御部１００は、設定変更される前の第１の設定値である元の設定値と、設定変更された後の第２の設定値である新たな設定値とに応じた縫い目形状データを、それぞれＲＯＭ１０２から選択する制御を行う。
【００３３】
また、制御部１００は、選択手段としての制御部１００が選択した設定変更される前の第１の設定値である元の設定値と、設定変更された後の第２の設定値である新たな設定値とに応じた縫い目形状データを、表示部において対比するように表示させる制御を行う。
【００３４】
また、制御部１００は、選択手段としての制御部１００が選択した設定変更された後の第２の設定値である新たな設定値とに応じた縫い目形状データを表示する際に、設定変更された設定値のパラメータに関する表示部分の表示形態を、他の表示部分の表示形態と異なるように表示する制御を行う。
【００３５】
次に、本実施の形態におけるミシン１の動作、特に、縫い目形状データに基づく縫い目形状を表示部７に表示する処理動作について、図４に示されるフローチャートに基づき説明する。
【００３６】
まず、ミシン１の主電源がＯＮにされたことに基づき、ミシン１の制御部１００は、ＥＥＰＲＯＭ１０４に記憶されている初期状態における設定値、各種パラメータを取得するとともに、取得した各種パラメータの組み合わせに応じた縫い目形状データをＲＯＭ１０２に記憶されている縫い目形状テーブルから選択して取得する（ステップＳ１０１）。
そして、制御部１００は、取得したその縫い目形状データに基づく縫い目形状の画像と、ステップＳ１０１において取得した設定値である各種パラメータを表示部７に表示する（ステップＳ１０２）。
【００３７】
なお、ステップＳ１０２において取得した縫い目形状データは、例えば、縫い目形状データＡ（「２．０、２．５、Ｎ、４．０、４．０、４．０；縫い目形状データＡ」）であり、その縫い目形状データＡに基づき表示部７に表示される表示画面は、図３に示す表示部７における表示画面である。
【００３８】
次いで、制御部１００は、入力部５０のＵＰボタン５ａやＤＯＷＮボタン５ｂが押下される信号を検出するか否か判断する（ステップＳ１０３）。
制御部１００が、入力部５０のＵＰボタン５ａやＤＯＷＮボタン５ｂが押下された信号を検出しない場合（ステップＳ１０３；Ｎｏ）、ステップＳ１０２に戻り、初期状態における表示画面を維持する。
一方、制御部１００が、入力部５０のＵＰボタン５ａやＤＯＷＮボタン５ｂが押下された信号を検出した場合（ステップＳ１０３；Ｙｅｓ）、制御部１００は、入力部５０のＵＰボタン５ａやＤＯＷＮボタン５ｂが押下されたことに伴い設定変更された新たな設定値のパラメータを取得する（ステップＳ１０４）。
【００３９】
次いで、制御部１００は、設定変更される前の元の設定値におけるパラメータの組み合わせと、設定変更された後の新たな設定値におけるパラメータの組み合わせとに応じた縫い目形状データを、それぞれＲＯＭ１０２に記憶されている縫い目形状テーブルから選択して取得する（ステップＳ１０５）。
そして、制御部１００は、取得した設定変更される前の元の設定値に応じた縫い目形状データに基づく縫い目形状の画像と、設定変更された後の新たな設定値とに応じた縫い目形状データに基づく縫い目形状の画像とを、対比するように表示部７に表示する（ステップＳ１０６）。
【００４０】
なお、ステップＳ１０３において検出した信号が、例えば、上ルーパ糸６ｂに対応したＵＰボタン５ａが押下された信号であり、上ルーパ糸６ｂの糸調子（糸張力）値７８が「４．５」にまで上げられたとすると、ステップＳ１０５において取得した縫い目形状データは、例えば、縫い目形状データＣ（「２．０、２．５、Ｎ、４．０、４．５、４．０；縫い目形状データＣ」）であり、ステップＳ１０６においてその縫い目形状データＣに基づき表示部７に表示される表示画面は、図５に示す表示部７における表示画面である。
この図５に示す表示部７における表示画面において、表示部７の縫い目形状表示エリア７ｃおける左側には、元の設定値に対応した縫い目形状データＡに基づく縫い目形状の画像が、縫い目形状表示エリア７ｃおける右側には、新たな設定値に対応した縫い目形状データＣに基づく縫い目形状の画像が表示されており、元の設定値と新たな設定値の縫い目形状データに基づく縫い目形状が対比されて表示されている。
また、この図５における表示部７の設定値表示エリア７ｂにおいて、設定変更が行われている数値（この場合、上ルーパ糸６ｂの糸調子値「４．５」）は、白黒反転表示されており、表示部７の縫い目形状表示エリア７ｃにおいて表示されている、新たな設定値に対応した縫い目形状データＣに基づく縫い目形状の上ルーパ糸は、下ルーパ糸や針糸の表示形態と異なるように、異なる色や異なる線種により表示されている。
このように、設定変更されたパラメータや、それに伴う縫い目形状の表示部分は、視認した際に認識しやすいように表示するようになっている。
【００４１】
また、ステップＳ１０３において検出した信号が、例えば、上ルーパ糸６ｂに対応したＤＯＷＮボタン５ｂが押下された信号であり、上ルーパ糸６ｂの糸調子（糸張力）値７８が「３．５」にまで下げられたとすると、ステップＳ１０５において取得した縫い目形状データは、例えば、縫い目形状データＢ（「２．０、２．５、Ｎ、４．０、３．５、４．０；縫い目形状データＢ」）であり、ステップＳ１０６においてその縫い目形状データＢに基づき表示部７に表示される表示画面は、図６に示す表示部７における表示画面である。
この図６に示す表示部７における表示画面において、表示部７の縫い目形状表示エリア７ｃおける左側には、元の設定値に対応した縫い目形状データＡに基づく縫い目形状の画像が、縫い目形状表示エリア７ｃおける右側には、新たな設定値に対応した縫い目形状データＢに基づく縫い目形状の画像が表示されており、元の設定値と新たな設定値の縫い目形状データに基づく縫い目形状が対比されて表示されている。
また、この図６における表示部７の設定値表示エリア７ｂにおいて、設定変更が行われている数値（この場合、上ルーパ糸６ｂの糸調子値「３．５」）は、白黒反転表示されており、表示部７の縫い目形状表示エリア７ｃにおいて表示されている、新たな設定値に対応した縫い目形状データＣに基づく縫い目形状の上ルーパ糸は、下ルーパ糸や針糸の表示形態と異なるように、異なる色や異なる線種により表示されている。
このように、設定変更されたパラメータや、それに伴う縫い目形状の表示部分は、視認した際に認識しやすいように表示するようになっている。
【００４２】
次いで、制御部１００は、入力部５０のＵＰボタン５ａやＤＯＷＮボタン５ｂが押下される信号を検出するか否か判断する（ステップＳ１０７）。
制御部１００が、入力部５０のＵＰボタン５ａやＤＯＷＮボタン５ｂが押下された信号を検出しない場合（ステップＳ１０７；Ｎｏ）、ステップＳ１０８に進む。
一方、制御部１００が、入力部５０のＵＰボタン５ａやＤＯＷＮボタン５ｂが押下された信号を検出した場合（ステップＳ１０７；Ｙｅｓ）、制御部１００は、ステップＳ１０４に戻り、設定変更された新たな設定値のパラメータを取得するとともに、再度元の設定値と新たな設定値の縫い目形状データに基づく縫い目形状を対比して表示する。
【００４３】
例えば、ステップＳ１０７において検出した信号が、上ルーパ糸６ｂに対応したＤＯＷＮボタン５ｂが押下された信号であり、上ルーパ糸６ｂの糸調子（糸張力）値７８が「３．０」にまで下げられたとすると、制御部１００は、その設定変更されたものを含むパラメータの組み合わせに応じた縫い目形状データを選択して取得するとともに、元の設定値の縫い目形状データに基づく縫い目形状の画像と、より新たな設定値の縫い目形状データに基づく縫い目形状の画像とを対比するように表示部７に表示する。
それにより、図６に示されていたような、元の設定値に関する縫い目形状と、新たな設定値に関する縫い目形状との対比が、図７に示すように変化する。
【００４４】
ステップＳ１０８では、制御部１００は、ＳＥＴキー７１が押下される信号を検出するか否か判断する（ステップＳ１０８）。
制御部１００が、ＳＥＴキー７１が押下された信号を検出しない場合（ステップＳ１０８；Ｎｏ）、ステップＳ１０６に戻る。
一方、制御部１００が、ＳＥＴキー７１が押下された信号を検出した場合（ステップＳ１０８；Ｙｅｓ）、ステップＳ１０９へ進む。
そして、制御部１００は、設定変更された設定値、パラメータを確定し（ステップＳ１０９）、ＥＥＰＲＯＭ１０４に記憶させるように設定して、縫い目形状を表示部７に表示するための処理動作を終了する。
【００４５】
そして、ステップＳ１０９において、設定値を確定し、設定した後、ミシン１を動作させる所定の操作に基づき、ミシン１が動作し、設定された設定値に応じた縫い目形状の縫い目を形成するように縫製動作を行うようになっている。
【００４６】
このように、本発明に係るミシン１は、ミシン１による縫製動作前に、予め設定されている設定値や、その設定値を構成する複数のパラメータに応じた縫い目形状データをＲＯＭ１０２から選択して取得することにより、その縫い目形状データに基づく縫い目形状の画像を表示部７に表示することができるので、作業者はその縫い目形状を縫製前に予め認識することができる。
特に、その設定値、パラメータが変更された場合、その設定が変更される前の元の設定値と、変更された後の新たな設定値とに応じた縫い目形状データを、それぞれＲＯＭ１０２から選択し取得するとともに、その取得した元の設定値に関する縫い目形状データに基づく縫い目形状の画像と、新たな設定値に関する縫い目形状データに基づく縫い目形状の画像とを対比するように表示部７に表示することができるので、縫い目形状に関する設定値を変更した場合に、その変更に伴い変化する縫い目形状を縫製前に作業者は認識することができる。
よって、本発明に係るミシン１は、縫い目形状に関する設定値を変更した際に、その変更に伴い変化する縫い目形状を縫製前に認識しやすいミシンであるといえる。
【００４７】
また、このミシン１において、設定変更されたパラメータの数値は白黒反転表示するなど、他の設定変更されていないものと区別できるように表示したり、その設定変更された新たな設定値に関する縫い目形状における表示部分の表示形態を、他の表示部分の表示形態と異なるように表示したりすることができるので、設定変更されたパラメータや、それに伴い変化した縫い目形状の表示部分を認識しやすい。
【００４８】
なお、本発明の適用は上述した実施形態に限定されることなく、本発明の趣旨を逸脱しない範囲で適宜変更可能である。
上述の実施の形態においては、ミシン１のＲＯＭ１０２に、様々な縫い目形状毎に、設定値であるパラメータの数値の組み合わせに応じて異なる縫い目形状に関する縫い目形状の画像データである縫い目形状データを、縫い目形状テーブルとして記憶し格納しておき、設定された設定値のパラメータの数値の組み合わせに応じて、縫い目形状テーブルからその設定値に応じた縫い目形状データを選択して取得し、その縫い目形状データに基づく縫い目形状の画像を表示部７に表示するとしたが、本発明はこれに限定されるものではない。例えば、縫い目形状用コンピュータグラフィック形成システムのプログラムをミシン１の制御部１００に搭載し、設定値（パラメータ）が変更される度に縫い目形状の画像データを演算するなどして生成し、その生成した画像データに基づき、表示部７に縫い目形状を表示するようにしてもよい。
【００４９】
また、上述の実施の形態においては、上ルーパ糸６ｂの糸調子値を設定変更する場合について説明したが、本発明はこれに限定されるものではなく、下ルーパ糸６ａや針糸６ｃの糸調子値を設定変更する場合も同様に、それらの設定変更に応じて縫い目形状等を変更して表示するようになっている。
【００５０】
また、上述の実施の形態においては、設定値変更手段としてＵＰボタン５ａやＤＯＷＮボタン５ｂ（入力部５０）が操作されて、設定値の糸調子（糸張力）に関するパラメータが設定変更された場合を例に説明したが、設定値変更手段はこれに限定されず、設定値変更手段である入力部として、送りピッチを調整するための送りつまみ８や、差動送りを調整するための差動つまみ９を用いて、送りピッチ量や差動比等が設定変更された場合に応じた縫い目形状の画像表示を行うようにしてもよい。
【００５１】
また、上述の実施の形態においては、オーバーロックミシンを例に、その縫い目形状の設定値に応じた縫い目形状の画像表示について説明したが、表示部を有するミシンであれば、どのようなミシンでもよく、設定値に応じてどのような縫い目形状を表示するようにしてもよい。
【００５２】
また、その他、具体的な細部構造等についても適宜に変更可能であることは勿論である。
【図面の簡単な説明】
【００５３】
【図１】本発明に係るミシンを示す正面図である。
【図２】本発明に係るミシンの要部構成を示すブロック図である。
【図３】表示部における表示画面の説明図である。
【図４】本発明に係るミシンの縫い目形状を表示部に表示するための処理動作を示すフローチャートである。
【図５】表示部における表示画面の説明図である。
【図６】表示部における表示画面の説明図である。
【図７】表示部における表示画面の説明図である。
【符号の説明】
【００５４】
１      オーバーロックミシン（ミシン）
２      ミシンケース
４      針棒
４ａ    縫い針
５      糸調子調整機構部
５ａ    ＵＰボタン（設定変更手段）
５ｂ    ＤＯＷＮボタン（設定変更手段）
５０    入力部（設定変更手段）
６ａ    下ルーパ糸
６ｂ    上ルーパ糸
６ｃ    針糸
７      表示部（表示手段）
１００  制御部（選択手段）
１０１  ＣＰＵ
１０２  ＲＯＭ（記憶手段）
１０３  ＲＡＭ
１０４  ＥＥＰＲＯＭ
【図１】
2005304814.tif 000003
【図２】
2005304814.tif 000004
【図３】
2005304814.tif 000005
【図４】
2005304814.tif 000006
【図５】
2005304814.tif 000007
【図６】
2005304814.tif 000008
【図７】
2005304814.tif 000009